(57)【特許請求の範囲】
【請求項１】
天井に取り付けられる照明器具であって、
主光源が設けられる器具本体と、
中央が開口され、かつ前記器具本体の外周に沿って設けられる枠体と、
前記枠体に設けられ、かつ下方に光を出射する補助光源と、
前記枠体上に配線され、かつ前記補助光源に接続される電線と、
を備え、
前記枠体は、
前記天井の側から斜め下方に傾斜する傾斜面を有する第１部分と、
前記第１部分の下端に連接し、前記第１部分の下端から、前記中央の開口から遠ざかるように斜め上方へと張り出し、かつ前記補助光源が設けられる第２部分と、
前記第１部分の前記傾斜面の一部に設けられ、前記傾斜面の一部から上方に立設される、前記電線のガイド規制片として機能する第３部分と、
を備え、
前記電線は、前記枠体上において、前記枠体の前記第１部分に沿うように配線され、
前記電線の一部は、前記第１部分と前記第３部分との間の空間に位置し、前記空間内では可動であり、前記空間外への移動はできないように動きが規制され、かつ前記電線の全体が前記枠体の前記第１部分に沿うようにガイドされる照明器具。
【発明の詳細な説明】
【技術分野】
【０００１】
本発明は、天井面等に取り付けられる円形の器具本体の上面および下面に光源が収容される照明器具に関するものである。
【背景技術】
【０００２】
従来より、天井面等に取り付けられる円形の器具本体に光源が収容される照明器具が知られている（例えば、特許文献１参照）。
図１２に示すように、特許文献１に記載の照明器具１００では、器具本体板１０１の外周よりの位置に下向きに突出する環状溝部１０２を形成し、この環状溝部１０２の内周側を内周に寄るにしたがって徐々に立ち上がる傾斜面部１０３とした。
また、器具本体板１０１における環状溝部１０２内側の中央面部の下面に絶縁板１０４を設け、絶縁板１０４の下面に複数の回路基板１０５配置した。絶縁板１０４の外周には、複数の配線押え１０７が設けられている。
【０００３】
そして、複数の回路基板１０５を接続するための電線１０６を配線し、傾斜面部１０３に隣接するように複数の配線押え１０７により電線１０６を係止する。
なお、環状溝部１０２の下面を覆うカバー１０８が設けられている。
【先行技術文献】
【特許文献】
【０００４】
【特許文献１】特開２００４−１５８３９８号公報（第１図）
【発明の概要】
【発明が解決しようとする課題】
【０００５】
前述した特許文献１に記載の照明器具においては、器具本体の下側に電線を配置したので、電線押さえで押えて、電線の落下を防止している。
ところで、電線を器具本体の上側に配置した場合には、落下のおそれは少ないが、電線の移動を全く規制しないと、電線がばたついて、組立性が悪くなるという問題があった。
【０００６】
本発明は、従来の問題を解決するためになされたもので、器具本体の上側に配置される電線の移動を規制することにより、組立性を向上できる照明器具を提供することを目的とする。
【課題を解決するための手段】
【０００７】
本発明の照明器具は、天井に取り付けられる照明器具であって、主光源が設けられる器具本体と、中央が開口され、かつ前記器具本体の外周に沿って設けられる枠体と、前記枠体に設けられ、かつ下方に光を出射する補助光源と、前記枠体上に配線され、かつ前記補助光源に接続される電線と、を備え、前記枠体は、前記天井の側から斜め下方に傾斜する傾斜面を有する第１部分と、前記第１部分の下端に連接し、前記第１部分の下端から、前記中央の開口から遠ざかるように斜め上方へと張り出し、かつ前記補助光源が設けられる第２部分と、前記第１部分の前記傾斜面の一部に設けられ、前記傾斜面の一部から上方に立設される、前記電線のガイド規制片として機能する第３部分と、を備え、前記電線は、前記枠体上において、前記枠体の前記第１部分に沿うように配線され、前記電線の一部は、前記第１部分と前記第３部分との間の空間に位置し、前記空間内では可動であり、前記空間外への移動はできないように動きが規制され、かつ前記電線の全体が前記枠体の前記第１部分に沿うようにガイドされるものである。
【発明の効果】
【０００８】
本発明は、枠体に沿って主光源の外側に設けられた発光装置に接続される電線を、ガイド規制片と傾斜面との間に配線したので、電線の移動を規制してばたつきを防止し、組立性を向上できるという効果を有する照明器具を提供できる。
【図面の簡単な説明】
【０００９】
【図１】（Ａ）は本発明に係る第１実施形態の照明器具の断面図であり、（Ｂ）は下方から見た底面図
【図２】本発明に係る第１実施形態の照明器具の分解斜視図
【図３】図２中ＩＩＩ部分の拡大図
【図４】（Ａ）は枠体を上方から見た平面図であり、（Ｂ）は（Ａ）中Ｂ−Ｂ位置の断面図であり、（Ｃ）は（Ｂ）中Ｃ部分の拡大図
【図５】（Ａ）照明器具を上方から見た斜視図であり、（Ｂ）は（Ａ）中Ｂ部分の拡大図
【図６】補助光源を上方から見た分解斜視図
【図７】補助光源を下方から見た分解斜視図
【図８】本発明に係る第２実施形態の照明器具における図５（Ｂ）相当の斜視図
【図９】本発明に係る第３実施形態の照明器具における図４（Ａ）相当の断面図
【図１０】本発明に係る第４実施形態の照明器具における図４（Ａ）相当の断面図
【図１１】本発明に係る第５実施形態の照明器具における図５（Ｂ）相当の斜視図
【図１２】従来の発光装置の分解斜視図
【発明を実施するための形態】
【００１０】
（第１実施形態）
以下、本発明に係る第１実施形態の照明器具について、図面を用いて説明する。
なお、以下の説明においては、照明器具を被取付面に取り付けて下方を照明する場合について説明する。従って、特に示す場合を除き、上（上方、上側等）は天井面側を意味し、下（下方、下側等）は床面側を意味する。
【００１１】
図１（Ａ）および（Ｂ）に示すように、本発明に係る第１実施形態の照明器具１０は、被取付部である天井面１１等に取り付けられて主に下方を照明するのに適する。
図２にも示すように、照明器具１０は、天井面１１に取り付けられている引っ掛けシーリング１２に取り付けるための取付部材２１を中央に有する、例えば円板状の器具本体２０を有する。
また、器具本体２０の中央部における取付部材２１の近傍には、常夜灯２３が設けられている。
なお、器具本体２０の外周には、円環状の枠体２２が設けられており、枠体２２には詳細を後述する発光装置である補助光源７０が設けられている。
【００１２】
器具本体２０の上側（すなわち、天井面１１側）には、間接光源であるアッパーユニット３０、上枠３２および上カバー３１が設けられている。
また、器具本体２０の下側（すなわち、照明方向側）には、主光源であるロアーユニット４０、主光源用の光学部材であるレンズ４３が設けられている。
【００１３】
ロアーユニット４０は、器具本体２０の円形を複数個に分割した部分円弧状の基板４１を有しており、各基板４１には、複数の発光素子であるＬＥＤ４２が実装されている。各ロアーユニット４０は、下方に向けて光を照射する。
ロアーユニット４０の前方には、ロアーユニット４０が発した光を受けて光を拡散する透光性のパネル５０が設けられている。パネル５０は、枠体２２に取り付けられる。パネル５０は、下方に湾曲した曲面形状を呈している。
【００１４】
図２および図３に示すように、アッパーユニット３０は、ＬＥＤ３３を実装する基板３４と、基板３４を器具本体２０の上面に取り付けるための取付具３５と、ＬＥＤ３３の前面を覆うレンズ３６を有する。
取付具３５は全体Ｌ字形状をしており、ＬＥＤ３３の照射方向が照明器具１０の外側に向くように、基板３４およびレンズ３６を、器具本体２０の上面に直交するように取り付ける。
従って、ＬＥＤ３３からの光は、器具本体２０の上面と略平行に外側へ向けて出射される。
【００１５】
図４（Ａ）に示すように、枠体２２は円環状をしており、内部にはパネル５０が嵌まる空間２２１を有する。
図４（Ｂ）および（Ｃ）に示すように、枠体２２は、器具本体２０の外側の最下点Ｐ０から外側に向かって上方へ傾斜して張り出す枠体本体２２２を有し、最下点Ｐ０から内側に向かって天井面１１側に傾斜する傾斜面２２７を有する。
なお、変形例として、傾斜面２２７が設けられていない形態も考えられる。また、本発明における「傾斜面」としては、「わずかに傾斜する面」や「ガイド規制片２５と平行な面」も含む。
枠体本体２２２には、所定間隔（ここでは、中心角１２０度）で、補助光源７０用の開口部２２３（図２参照）が設けられており、この開口部２２３には補助光源７０が取り付けられる。
なお、開口部２２３は、枠体２２の外形に対応して、湾曲して設けられている。
【００１６】
枠体２２の傾斜面２２７には、補助光源７０に接続される電線７６を天井面１１にガイドするガイド規制片２５が複数個設けられており、後述する補助光源７０用の電線７６をガイド規制片２５の内側に引っ掛ける（図５（Ａ）参照）。
図５（Ｂ）に示すように、ガイド規制片２５は、矩形板状をしており、少なくとも電線７６を係止できる高さを有する。
【００１７】
また、図４（Ａ）に示すように、枠体２２の表面には、センサ用開口２２４、動作表示ランプ用開口２２５および状態表示ランプ用開口２２６が設けられている。
なお、センサ２４１、動作表示ランプ２４２および状態表示ランプ２４３は、器具本体２０に取り付けられているブラケット２４に取り付けられている（図２参照）。
【００１８】
図６および図７に示すように、補助光源７０は、表面７２１にＬＥＤ７１を実装した回路基板７２と、回路基板７２を取り付ける取付体７３と、ＬＥＤ７１の前方を覆うカバー８０を有する。
回路基板７２、取付体７３およびカバー８０は、枠体２２の外形（円形）に合わせて湾曲しており、ＬＥＤ７１は、回路基板７２上に円弧状に実装されている。
【００１９】
回路基板７２の表面７２１において、ＬＥＤ７１が実装されている円弧線の延長には、基板側コネクタ７５が取り付けられており、ＬＥＤ７１に点灯電力を供給する電線７６に取り付けられている供給側コネクタ７６１に接続される。
取付体７３は、平板状の取付体本体７３１の外側縁部に外壁７３２を設け、内側縁部に内壁７３３を設けて、断面コ字形状を呈している。
【００２０】
取付体本体７３１の長手方向両端部における幅方向中央部には、取付体７３を器具本体２０に取り付けるための固定ねじ孔７３４が設けられている。
また、取付体本体７３１における固定ねじ孔７３４の長手方向内側には、カバー８０を取付体７３に取り付けるための取付ねじ孔７３５、７３６が設けられている。
【００２１】
カバー８０は、湾曲した平板状のカバー本体８１と、カバー本体８１の内側において取付体７３側に延びる内側立壁８２１および外側において取付体７３側に延びる外側立壁８２２を有する。
カバー８０の長手方向両端には、取付ねじ８３５でカバー８０を取付体７３に取り付けるためのねじ孔８３３、８３４が設けられている。
また、カバー８０における複数のＬＥＤ７１の照射方向前方（すなわち、下方）には、ＬＥＤ７１からの光を配光制御するレンズ８４が各々設けられている。
【００２２】
以上、説明した本発明に係る第１実施形態の照明器具１０によれば、器具本体２０の外周に沿って設けられる円環状の枠体２２において、最下点Ｐ０から内側に向かって天井側に傾斜する傾斜面２２７に、天井面に向かうガイド規制片２５を設けた。
そして、枠体２２に沿ってロアーユニット４０の外側に設けられた補助光源７０に接続される電線７６を、ガイド規制片２５と傾斜面２２７との間に配線したので、電線７６の移動を規制してばたつきを防止して、組立性を向上できる。
【００２３】
（第２実施形態）
次に、本発明に係る第２実施形態の照明器具について説明する。
なお、前述した第１実施形態に係る照明器具と共通する部位には同じ符号を付して、重複する説明を省略することとする。
図８に示すように、第２実施形態の照明器具１０Ｂにおいては、ガイド規制片２５Ｂは矩形板状をしており、中央に開口２５１を有するとともに、上方に向かってスリット２５２が設けられている。
【００２４】
従って、電線７６をスリット２５２から開口２５１に挿入し、開口２５１で電線７６を係止する。
このため、電線７６の移動を規制してばたつきを防止するとともに、組立性を向上できる。
【００２５】
（第３実施形態）
次に、本発明に係る第３実施形態の照明器具について説明する。
なお、前述した第１実施形態に係る照明器具と共通する部位には同じ符号を付して、重複する説明を省略することとする。
図９に示すように、第３実施形態の照明器具１０Ｃにおいては、ガイド規制片２５Ｃの上端に、内側に突出する係止爪２５３を設けた。
係止爪２５３は、上面が内側に向かって下方に傾斜しており、下面は水平となっている。
従って、電線７６をガイド規制片２５Ｃで係止する際には容易に挿入できるが、脱落しにくくなっている。
【００２６】
これにより、ガイド規制片２５Ｃの内側に保持されている電線７６は、係止爪２５３によって脱落が阻止されるので、電線７６の移動を規制してばたつきを防止するとともに、組立性を向上できる。
【００２７】
（第４実施形態）
次に、本発明に係る第４実施形態の照明器具について説明する。
なお、前述した第１実施形態に係る照明器具と共通する部位には同じ符号を付して、重複する説明を省略することとする。
図１０に示すように、第４実施形態の照明器具１０Ｄにおいては、前述したガイド規制片２５と同様なガイド規制片２５Ｄを設け、電線７６の挿入後に折曲げて（図１０中矢印参照）、電線７６を係止する。
【００２８】
これにより、ガイド規制片２５Ｄの内側に保持されている電線７６は、脱落が阻止されるので、電線７６の移動を規制してばたつきを防止するとともに、組立性を向上できる。
【００２９】
（第５実施形態）
次に、本発明に係る第５実施形態の照明器具について説明する。
なお、前述した第１実施形態に係る照明器具と共通する部位には同じ符号を付して、重複する説明を省略することとする。
図１１に示すように、第５実施形態の照明器具１０Ｅにおいては、前述したガイド規制片２５Ｂと同様なガイド規制片２５Ｅを設け、開口２５１（図８参照）に配線収容部品２６を取り付け、配線収容部品２６により電線７６を係止する。
配線収容部品２６は、例えば、ゴムや樹脂により、電線７６を把持可能な構造とすることができる。
【００３０】
これにより、ガイド規制片２５Ｅに保持されている電線７６は、脱落が阻止されるので、電線７６の移動を規制してばたつきを防止するとともに、組立性を向上できる。
【００３１】
なお、本発明の照明器具は、前述した各実施形態に限定されるものでなく、適宜な変形、改良等が可能である。
【符号の説明】
【００３２】
１０、１０Ｂ、１０Ｃ、１０Ｄ、１０Ｅ  照明器具
１１  天井面
２０  器具本体
２２  枠体
２２２  枠体本体
２２７  傾斜面
２５、２５Ｂ、２５Ｃ、２５Ｄ、２５Ｅ  ガイド規制片
４０  ロアーユニット（主光源）
７０  補助光源（発光装置）
７６  電線
Ｐ０  最下点
【図１】
0005877384.tif 000002
【図２】
0005877384.tif 000003
【図３】
0005877384.tif 000004
【図４】
0005877384.tif 000005
【図５】
0005877384.tif 000006
【図６】
0005877384.tif 000007
【図７】
0005877384.tif 000008
【図８】
0005877384.tif 000009
【図９】
0005877384.tif 000010
【図１０】
0005877384.tif 000011
【図１１】
0005877384.tif 000012
【図１２】
0005877384.tif 000013